(57)【要約】【課題】ベッド本体を構成するサイドフレームを大型化させずに強度を向上させることができるベッド装置を提供することにある。【解決手段】平行に離間対向して配置された一対のサイドフレーム２及びこれらサイドフレームの長手方向一端に連結されたヘッドボード及び他端に連結されたフットボード４によって矩形枠状に形成されたベッド本体と、ベッド本体を所定の高さで支持する脚部材１９と、サイドフレームの内面に取付けられる帯状垂直部７、帯状垂直部の下端に直角に折曲形成された帯状水平部８を有してサイドフレームとほぼ同じ長さに形成され、長手方向の両端にヘッドボード及びフットボードの内面がそれぞれ連結固定される連結プレート９が一体的に設けられた一対の受け部材６と、受け部材の帯状水平部の上面に幅方向の両端部を係合させて支持され上面にマットレスが載置される床板を具備する。【選択図】      図４
2014057662.tif 000002
【特許請求の範囲】
【請求項１】
平行に離間対向して配置された一対のサイドフレーム及びこれらサイドフレームの長手方向一端に連結されたヘッドボード及び他端に連結されたフットボードによって矩形枠状に形成されたベッド本体と、
このベッド本体を所定の高さで支持する支持手段と、
上記サイドフレームの内面に取付けられる帯状垂直部、この帯状垂直部の下端に直角に折曲形成された帯状水平部を有して上記サイドフレームとほぼ同じ長さに形成され、長手方向の両端に上記ヘッドボード及びフットボードの内面がそれぞれ連結固定される連結プレートが一体的に設けられた一対の受け部材と、
この受け部材の上記帯状水平部の上面に幅方向の両端部を係合させて支持され上面にマットレスが載置される床板と
を具備したことを特徴とするベッド装置。
【請求項２】
上記サイドフレームの内面には、上記帯状垂直部が入り込んで係合する第１の係合溝が形成されていることを特徴とする請求項１記載のベッド装置。
【請求項３】
上記帯状垂直部の上端部には、この帯状垂直部の外面側に向かって係合支持部が折曲形成されていて、
上記サイドフレームの内面には上記帯状垂直部が入り込んで係合する第１の係合溝と、この第１の係合溝の上端に上記係合支持部が入り込んで係合する第２の係合溝とが形成されていることを特徴とする請求項１記載のベッド装置。
【請求項４】
上記支持手段は、
下端が接地して上記ベッド本体の長手方向の一端部を支持する上記ヘッドボードと、
上記受け部材の上記帯状水平部の長手方向の上記フットボード側の端部の下面に一端と他端を連結固定して設けられた帯板状の取付け部材と、
この取付け部材の長手方向の両端部の下面に上端が取付けられて上記ベッド本体の長手方向の他端部を支持する一対の脚部材と
によって構成されていることを特徴とする請求項１記載のベッド装置。
【請求項５】
上記支持手段は、
上記受け部材の長手方向の一端部と他端部に、それぞれ一端と他端を上記受け部材の帯状水平部の下面に連結固定して設けられた一対の帯板状の取付け部材と、
この取付け部材の長手方向の両端部に取付けられて上記ベッド本体の長手方向の一端部と他端部をそれぞれ支持する各一対の脚部材と
によって構成されていることを特徴とする請求項１記載のベッド装置。
【請求項６】
一側面が開口した箱状体及びこの箱状体に出し入れ可能に設けられた引き出しとから構成されるとともに、上面にマットレスの幅方向の一部が載置される載置体と、
上記マットレスの幅寸法とほぼ同じ幅寸法を有し、上記載置体の長手方向一端面に幅方向の一端側が取付けられるヘッドボード及び長手方向他端面に幅方向の一端側が取り付けられるフットボードと、
上記ヘッドボードとフットボードの幅方向の他端に設けられ上記載置体、上記ヘッドボード及び上記フットボードによってベッド本体を構成するサイドフレームと、
上記ベッド本体を所定の高さで支持する支持手段と、
帯状垂直部、この帯状垂直部の下端に直角に折曲形成された帯状水平部を有して上記サイドフレームとほぼ同じ長さに形成されてサイドフレームの内面及び上記載置体の上記サイドフレームに対向する外面に取付けられ長手方向の両端に上記ヘッドボード及びフットボードの内面がそれぞれ連結固定される連結プレートが一体的に設けられた一対の受け部材と、
この受け部材の上記帯状水平部の上面に幅方向の両端部を係合させて支持され上面に上記マットレスの上記載置体の上面に載置されていない部分が載置される床板と
を具備したことを特徴とするベッド装置。
【請求項７】
上記支持手段は、
上記載置体の下面の長手方向の一端部と他端部に垂設されて上記ベッド本体の幅方向の一端側を支持する複数の第１の脚体と、
上記一対の受け部材の帯状水平部の長手方向の一端部と他端部の下面に一端と他端を連結固定して設けられた帯板状の取付け部材及びこの取付け部材の長手方向の上記載置体と反対側に位置する一方の端部の下面に上端が取付けられて上記ベッド本体の幅方向の他端側を支持する複数の第２の脚部材と
によって構成されていることを特徴とする請求項６記載のベッド装置。
【発明の詳細な説明】
【技術分野】
【０００１】
この発明はベッド本体に設けられた床板の上面にマットレスが載置されるベッド装置に関する。
【背景技術】
【０００２】
一般に、ベッド装置はベッド本体を有する。このベッド本体は平行に離間対向した一対のサイドフレーム、このサイドフレームの長手方向一端に連結されたヘッドボード及び他端に連結されたフットボードによって構成されている。
【０００３】
上記一対のサイドフレームの内面には受け桟が架設され、これら受け桟には床板が幅方向の両端部を係合させて水平に支持されている。そして、この床板の上面に利用者が仰臥するマットレスが載置されるようになっている。
【０００４】
上記マットレス上に仰臥した利用者の荷重は、上記床板及びこの床板を支持した受け桟を介して上記一対のサイドフレームによって受けられる。したがって、上記サイドフレームは、利用者の荷重に対して上下方向やベッド本体の幅方向に対して変形することない強度を備えることが要求される。
【０００５】
従来、上記サイドフレームに、利用者の荷重に対して変形することのない十分な強度を持たせるためには、高さ寸法を大きくしてベッドフレームの上下方向に対して変形するのを抑制したり、厚さ寸法を厚くしてベッドフレームの幅方向に対して変形するのを抑制するということが行われていた。
【先行技術文献】
【特許文献】
【０００６】
【特許文献１】特許第３６６３２０１号公報
【発明の概要】
【発明が解決しようとする課題】
【０００７】
しかしながら、上記サイドフレームの高さ寸法を大きくしたり、厚さ寸法を厚くしたりして、サイドフレームの強度を向上させるようにすると、ベッド本体のコスト上昇や外観の低下を招くということがあった。
【０００８】
しかも、上記サイドフレームの高さ寸法を大きくすると、床面からサイドフレームの下端までの距離が小さくなる。つまり、ベッド本体の下面と床面との隙間が小さくなる。
【０００９】
そのため、床面のベッド本体の下面側に対応する部分の清掃がし難くなるため不便であるということがあった。とくに最近では走行式の清掃用ロボットによって床面を清掃させるということがあるため、そのような場合には上記床面とサイドフレームの下端との間に、上記清掃用ロボットが走行しながら入り込むことができる隙間が確保できないということもある。
【００１０】
さらに、従来は上記サイドフレームの内面の、長手方向の両端部に、上記受け桟とは別体に連結具を取付け、この連結具によって上記サイドフレームの一端と他端に、上記ヘッドボード及びフットボードをそれぞれ連結するようにしていた。
【００１１】
そのため、上記連結具によって上記サイドフレームに連結された上記ヘッドボード及びフットボードに荷重が加わると、その荷重は連結具を介して上記サイドフレームに加わることになるから、上記ヘッドボードやフットボードに加わる荷重によっても上記サイドフレームが変形し易いということがあった。
【００１２】
この発明は、ベッド本体のサイドフレームの厚さを厚くしたり、高さ寸法を大きくすることなく、上記サイドフレームがベッド本体に加わる荷重に対して変形し難いようにしたベッド装置を提供することにある。
【課題を解決するための手段】
【００１３】
この発明は、平行に離間対向して配置された一対のサイドフレーム及びこれらサイドフレームの長手方向一端に連結されたヘッドボード及び他端に連結されたフットボードによって矩形枠状に形成されたベッド本体と、
このベッド本体を所定の高さで支持する支持手段と、
上記サイドフレームの内面に取付けられる帯状垂直部、この帯状垂直部の下端に直角に折曲形成された帯状水平部を有して上記サイドフレームとほぼ同じ長さに形成され、長手方向の両端に上記ヘッドボード及びフットボードの内面がそれぞれ連結固定される連結プレートが一体的に設けられた一対の受け部材と、
この受け部材の上記帯状水平部の上面に幅方向の両端部を係合させて支持され上面にマットレスが載置される床板と
を具備したことを特徴とするベッド装置にある。
【００１４】
この発明は、一側面が開口した箱状体及びこの箱状体に出し入れ可能に設けられた引き出しとから構成されるとともに、上面にマットレスの幅方向の一部が載置される載置体と、
上記マットレスの幅寸法とほぼ同じ幅寸法を有し、上記載置体の長手方向一端面に幅方向の一端側が取付けられるヘッドボード及び長手方向他端面に幅方向の一端側が取り付けられるフットボードと、
上記ヘッドボードとフットボードの幅方向の他端に設けられ上記載置体、上記ヘッドボード及び上記フットボードによってベッド本体を構成するサイドフレームと、
上記ベッド本体を所定の高さで支持する支持手段と、
帯状垂直部、この帯状垂直部の下端に直角に折曲形成された帯状水平部を有して上記サイドフレームとほぼ同じ長さに形成されてサイドフレームの内面及び上記載置体の上記サイドフレームに対向する外面に取付けられ長手方向の両端に上記ヘッドボード及びフットボードの内面がそれぞれ連結固定される連結プレートが一体的に設けられた一対の受け部材と、
この受け部材の上記帯状水平部の上面に幅方向の両端部を係合させて支持され上面に上記マットレスの上記載置体の上面に載置されていない部分が載置される床板と
を具備したことを特徴とするベッド装置にある。
【発明の効果】
【００１５】
この発明によれば、帯状垂直部、この帯状垂直部の下端に直角に折曲形成された帯状水平部を有してサイドフレームとほぼ同じ長さに形成され、長手方向の両端に上記ヘッドボード及びフットボードの内面がそれぞれ連結固定される連結プレートが一体的に設けられた受け部材を、上記サイドフレームの内面に、上記帯状垂直部によって取り付けるようにした。
【００１６】
上記受け部材は帯状垂直部と帯状水平部が直角に折曲され、長手方向の両端には上記連結プレートが一体的に設けられている。そのため、上記サイドフレームの厚さ寸法や高さ寸法を大きくしなくとも、上記サイドフレームを補強して変形するのを防止することができるばかりか、上記サイドフレームと上記ヘッドボード及びフットボードとの連結強度も向上させることができる。つまり、上記サイドフレームの厚さ寸法や高さ寸法を大きくしなくとも、このサイドフレームをベッドフレームに加わる外力によって変形し難くすることができる。
【図面の簡単な説明】
【００１７】
【図１】この発明の第１の実施の形態を示すフットボードの一部を破断したベッド装置の正面図。
【図２】サイドフレームの一部を破断したベッド装置の側面図。
【図３】床板の一部を破断したベッド装置の平面図。
【図４】内面に受け部材が設けられたサイドフレームのフットボード側の端部を示す斜視図。
【図５】内面に受け部材が取付けられたサイドフレームのフットボード側の端面を示す図。
【図６】（ａ）は内面に受け部材が取付けられたサイドフレームの平面図、（ｂ）は同じく側面図と端面図。
【図７】この発明の第２の実施の形態を示すサイドフレームの一部を破断したベッド装置の側面図。
【図８】床板の一部を破断したベッド装置の平面図。
【図９】この発明の第３の実施の形態を示すフットボードを除去したベッド装置の正面図。
【図１０】同じく側面図。
【図１１】同じく平面図。
【図１２】この発明の第４の実施の形態を示す受け部材の長手方向の一端部の斜視図。
【図１３】（ａ）はこの発明の第５の実施の形態を示す内面に受け部材が取付けられたサイドフレームの端面の図、（ｂ）はサイドフレームの断面図。
【発明を実施するための形態】
【００１８】
以下、この発明の実施の形態を図面を参照しながら説明する。
【００１９】
図１乃至図６はこの発明の第１の実施の形態を示す。図１はベッド装置の正面図、図２は側面図、図３は平面図を示し、このベッド装置はベッド本体１を備えている。このベッド本体１は、図３に示すように所定間隔で平行に離間対向して配置された一対のサイドフレーム２を有する。
【００２０】
上記一対のサイドフレーム２の長手方向一端にはヘッドボード３、他端にはフットボード４がそれぞれ後述するように連結されている。それによって、上記ベッドフレーム１は上記一対のサイドフレーム２、上記ヘッドボード３、及び上記フットボード４によって平面形状が矩形枠状となっている。
【００２１】
上記一対のサイドフレーム２の内面にはそれぞれ受け部材６が設けられている。この受け部材６は図４乃至図６に示すように、帯状の鋼材などの剛性を有する金属プレートを幅方向の中央から断面がＬ字状になるよう直角に折曲し、その一方を帯状垂直部７、他方を帯状水平部８に形成している。上記受け部材６は上記サイドフレーム２とほぼ同じ長さ寸法であって、上記帯状垂直部７の高さ寸法と上記帯状水平部８の幅寸法は同じに形成されている。
【００２２】
上記受け部材６の長手方向の両端には、四角形状の連結プレート９が上記帯状垂直部７と帯状水平部８と一体に設けられている。この連結プレート９は、上記帯状垂直部７と帯状水平部８を同じ長さに形成し、これらとは別体の四角形状の上記連結プレート９を上記帯状垂直部７と帯状水平部８の端面に溶接することで、上記帯状垂直部７及び帯状水平部８に対して一体に設けられている。
【００２３】
なお、上記帯状垂直部７と帯状水平部８のどちらか一方を他方よりも長尺に形成し、その一方の他方の端面から突出した部分を直角に折りまげて他方の端面に溶接して上記連結プレート９としてもよい。
【００２４】
上記受け部材６の上記帯状垂直部７には、図６（ｂ）に示すように長手方向に所定間隔で複数の第１の取付け孔１１が穿設されている。図５に示すように、上記サイドフレーム２の内面には上記帯状垂直部７の高さ寸法と同じ高さであって、しかも帯状垂直部７の厚さ寸法と同じ深さで第１の取り付け溝１２が形成されている。
【００２５】
そして、上記受け部材６は、上記帯状垂直部７を上記第１の取り付け溝１２に嵌合させた後、図４に示すように上記第１の取付け孔１１から上記サイドフレーム２に第１のねじ１３をねじ込むことによって上記サイドフレーム２の内面に取り付けられている。
【００２６】
上記受け部材６の長手方向の両端に設けられた上記連結プレート９には第２の取付け孔１４が穿設されている。上記サイドフレーム２の長手方向一端に設けられた上記ヘッドボード３と、他端に設けられたフットボード４は、上記連結プレート９の第２の取付け孔１４を通された第２のねじ１５（図４にはフットボード４側が示されている。）によって上記サイドフレーム２の一端と他端にそれぞれ連結固定されている。
【００２７】
図４に示すように、上記サイドフレーム２の長手方向の端面には回り止めのピン１７が突設され、上記各ボード３，４の内面には上記ピン１７が嵌合する嵌合孔（図示せず）が形成されている。それによって、上記各ボード３，４は上記連結プレート９に連結された第２のねじ１５を支点として回転方向に回るのが阻止されている。  
なお、図４はフットボード４側だけを示しているが、ヘッドボード３側も同じ構成となっている。
【００２８】
図２に示すように、上記ベッド本体１の長手方向の上記ヘッドボード３側、つまり一端側は、下端が接地する上記ヘッドボード３によって所定の高さに支持されている。上記ベッド本体１の長手方向の他端側、つまり上記フットボード４側は、上記ヘッドボード３とで上記ベッド本体１の支持手段を構成する一対の脚部材１９によって一端側と同じ高さで支持されている。
【００２９】
上記脚部材１９は図３と図４に示すように、一対のサイドフレーム２間に上記ベッド本体１の幅方向に沿って架設された帯板状の取付け部材２１の下面に上端を取り付けて垂設されている。
【００３０】
つまり、取付け部材２１は長手方向の両端部が上記サイドフレーム２の内面に設けられた上記受け部材６の帯状水平部８の下面に第３のねじ２２（図４に示す）によって取付け固定されていて、上記帯状水平部８の長手方向両端部の下面に上記脚部材１９の上端が取付け固定されている。
【００３１】
上記ベッド本体１の一対のサイドフレーム２間には、上記ベッド本体１の枠内に入り込む大きさに形成された矩形状の床板２４が幅方向の両端部を上記サイドフレーム２の内面に設けられた上記一対の受け部材６の帯状水平部８の上面に係合させて架設されている。上記床板２４の厚さ寸法は、上記一対のサイドフレーム２間に架設された状態で、上面が上記サイドフレーム２の上端面とほぼ同じ高さになるよう設定されている。
【００３２】
そして、上記床板２４の上面には、図１と図２に鎖線で示す利用者が仰臥するためのマットレス２５が載置される。
【００３３】
上記構成のベッド装置によれば、ベッド本体１を構成するサイドフレーム２の内面に受け部材６を設けるようにした。この受け部材６は、帯状の鋼板などの剛性を有する金属プレートが直角に折曲形成されて帯状垂直部７と帯状水平部８とを有し、さらに長手方向の一端と他端にはヘッドボード３とフットボード４をそれぞれ連結するための連結プレート９が上記帯状垂直部７と帯状水平部８に対して一体に設けられている。
【００３４】
そのため、上記サイドフレーム２は、上記受け部材６の帯状垂直部７によって上下方向である高さ方向に対して撓まないように補強され、上記帯状水平部８によって厚さ方向に対して撓まないよう補強される。
【００３５】
したがって、上記マットレス２５上に利用者が仰臥して上記ベッド本体１に利用者の荷重が加わるなどした場合、上記サイドフレーム２が上下方向や厚さ方向に撓んで変形するのが上記帯状垂直部７と帯状水平部８によって阻止される。
【００３６】
つまり、上記サイドフレーム２が上記受け部材６によって補強されるため、このサイドフレーム２の高さ寸法を大きくしたり、厚さ寸法を厚くすることなく、サイドフレーム２の強度、つまりベッド本体１の強度を向上させることができる。
【００３７】
それによって、サイドフレーム２の大型化によるベッド本体１の外観の低下を招いたり、上記サイドフレーム２のコスト上昇を招くなどのことを防止でき、さらにサイドフレーム２の高さ寸法を小さくできることで、サイドフレーム２と床面との隙間を比較的大きくすることが可能となるから、ベッド本体１の下面側の清掃がし難くなるのを防止できる。
【００３８】
とくに、床面の清掃に走行式の清掃ロボットを用いる場合、その清掃ロボットが入り込むことのできるよう、ベッド本体１のサイドフレーム２の下端と床面との間の高さ寸法を確保し易いということもある。
【００３９】
上記受け部材６の長手方向の一端と他端には、ヘッドボード３及びフットボード４をそれぞれ連結するための連結プレート９が上記受け部材６の帯状垂直部７及び帯状水平部８に一体に設けられている。
【００４０】
そのため、上記サイドフレーム２に対する上記ヘッドボード３とフットボード４の連結強度は、連結プレート９を介して上記受け部材６によって補強される。つまり、上記サイドフレーム２に対し、上記ヘッドボード３とフットボード４を、上記受け部材６を利用せずに取付ける場合に比べ、上記サイドフレーム２に対して強固に、しかも上記ヘッドボード３とフットボード４に加わる外力に対して上記サイドフレーム２が変形し難くなるよう連結することができる。
【００４１】
上記サイドフレーム２の内面に第１の取付け溝１２を形成し、この第１の取付け溝１２に上記受け部材６の帯状垂直部７を嵌合させて取り付けるようにしている。
【００４２】
そのため、上記第１の取付け溝１２に嵌合した上記受け部材６の帯状垂直部７によって上記サイドフレーム２の上下方向の撓み変形に対する補強強度が向上するから、ベッド本体１に加わる荷重によってさらに上下方向に変形し難くなる。
【００４３】
すなわち、上記構成のベッド本体１は、サイドフレーム２の内面に設けられた受け部材６によって十分に補強されるため、サイドフレーム２の高さ寸法や厚さ寸法を小さくしても、ベッド本体１の強度や外観の向上を十分に図ることが可能となる。
【００４４】
上記ベッド本体１を上記フットボード４とによって支持する一対の脚部材１９を、一対のサイドフレーム２に設けられた一対の受け部材６の帯状水平部８間に架設された取付け部材２１に取付けるようにした。
【００４５】
そのため、上記取付け部材２１の長手方向両端部に取付けられる一対の脚部材１９は、長手方向においてはフットボード４よりも十分に内方に位置させ、幅方向に対してはサイドフレーム２よりも十分に内方に位置させることができる。
【００４６】
したがって、利用者がたとえば夜間などにベッド本体１から降りて歩行する際、上記脚部材１９がサイドフレーム２やフットボード４の下端に取り付けられている場合のように、利用者が上記脚部材１９に足をぶつけたり、つまずくなどのことを防止することができる。
【００４７】
なお、上記受け部材６の断面形状をＬ字状にして剛性を高めるようにしたが、それに代わって角パイプを用いれば、サイドフレーム２の補強強度を向上させることが可能である。しかしながら、受け部材６を角パイプとしてその上面に床板２４を載せる支持構造とすると、帯状水平部８の上面に支持した場合に比べて床板２４を支持する高さ寸法が高くなる。
【００４８】
そのため、床板２４の厚さと角パイプの高さとの合計となる、上記床板２４の支持高さが高くなることで、その分、サイドフレーム２の高さ寸法を大きくしなければならないということになる。
【００４９】
つまり、角パイプを用いると、帯状水平部８の場合に比べて、サイドフレーム２の高さ寸法が大きくなり、ベッド本体１の大型化や外観の低下を招くため好ましくないが、上記受け部材６の断面形状をＬ字状にすることで、そのようになることを防止できる。
【００５０】
つぎに、この発明の他の実施の形態を説明する。なお、他の実施の形態において、第１の実施の形態と同一部分には同一記号を付して説明を省略する。
【００５１】
図７と図８は第１の実施の形態の変形例を示す第２の実施の形態であって、この第２の実施の形態はベッド本体１を支持する支持手段の変形例である。つまり、この第２の実施の形態では、ベッド本体１の長手方向の一端をヘッドボード３によって支持せず、ヘッドボード３の下端が床面に接地しないよう、上記ヘッドボード３の下端をサイドフレーム２の下端とほぼ同じ高さになるようにしている。
【００５２】
そして、上記ベッド本体１のヘッドボード３側である、長手方向の一端部の一対のサイドフレーム２間に他端部と同様、取付け部材２１の一端と他端を一対の受け部材６の帯状水平部８の下面に連結して架設し、上記取付け部材２１の両端部の下面に脚部材１９を垂設するようにした。
【００５３】
このような構造であっても、第１の実施の形態の支持手段と同様、ベッド本体１を所定の高さで確実に支持することができる。
【００５４】
図９乃至図１１はこの発明の第３の実施の形態を示す。図９はフットボードを除去したベッド装置の正面図、図１０は側面図、図１１は平面図である。
【００５５】
この第３の実施の形態はベッド本体１Ａの変形例であって、このベッド本体１Ａは載置体３１を有する。この載置体３１は、一側面が開口した箱状体３２を有し、この箱状体３２には一対の引き出し３３が出し入れ可能に収容されている。
【００５６】
上記載置体３１の箱状体３２は、ヘッドボード３及びフットボード４の幅寸法の約半分の幅寸法に形成されていて、開口した一側面をベッド本体１Ａの幅方向外方に向けて配置される。
【００５７】
上記箱状体３２の他側面には受け部材６が長手方向全長にわたって設けられている。この受け部材６は第１の実施の形態の受け部材６と同じ構成である。
【００５８】
上記箱状体３２の長手方向の一端には、上記ヘッドボード３が配置され、他端にはフットボード４が配置されている。上記ヘッドボード３とフットボード４の幅方向の一端は上記箱状体３２の長手方向の一端面と他端面に図示しないねじなどで連結固定され、幅方向の中途部は上記箱状体３２の他側面に設けられた受け部材６の端面に設けられた連結プレート９によって連結されている。
【００５９】
上記ヘッドボード３とフットボード４の幅方向の他端にはサイドフレーム２が配置され、このサイドフレーム２の内面には上記箱状体３２の他側面に設けられた受け部材６と対をなす受け部材６が長手方向の両端に設けられた連結プレート９を介して連結されている。なお、一対の受け部材６は第１の実施の形態に示した構造と同じ構成である。
【００６０】
上記一対の受け部材６の長手方向一端部と他端部とには帯状の取付け部材２１が長手方向一端と他端を上記受け部材６の帯状水平部８の下面に連結して架設されている。
【００６１】
上記箱状体３１の下面には複数、この実施の形態では４本の第１の脚部材１９ａが垂設され、上記一対の取付け部材２１にはそれぞれ上記サイドボード２側の端部に１本の第２の脚部材１９ｂが垂設されている。上記第１の脚部材１９ａと第２の脚部材１９ｂは上記ベッド本体１を所定の高さで水平に支持する支持手段を構成している。
【００６２】
上記一対の受け部材６の帯状水平部８には、上記ヘッドボード３とフットボード４の幅寸法の半分の幅寸法に形成された床板２４ａが幅方向両端部を係合させて架設されている。この床板２４ａは上面が上記箱状体３２の上面と同じ高さになる厚さ寸法に形成されている。
【００６３】
そして、上記箱状体３２の上面と上記床板２４ａの上面とがなす平面には図９Ｔ図１０に鎖線で示すマットレス２５が載置される。
【００６４】
このような構成のベッド装置によれば、床板２４ａを支持する一対の受け部材６に、第１の実施の形態と同じ構成のものが用いられている。一方の受け部材６は箱状体３２の側面に設けられ、他方の受け部材６はサイドフレーム２の内面に設けられている。
【００６５】
そのため、上記箱状体３２と上記サイドフレーム２は上記受け部材６によって補強されるから、上記箱状体３２の上面と、一対の受け部材６に架設された床板２４ａとがなす平面に載置されたマットレス２５に利用者が横臥したとき、利用者の荷重によって上記箱状体３２や上記サイドフレーム２が変形するのを防止することができる。
【００６６】
つまり、上記箱状体３２やサイドフレーム２を厚手の板材を用いて形成しなくとも、上記受け部材６によって上記箱状体３２やサイドフレーム２を補強することができるから、ベッド本体１の性能や外観を向上させながら、コストの低減を図ることが可能となる。
【００６７】
図１２はこの発明の第４の実施の形態で、この第４の実施の形態は受け部材６Ａの変形例を示す。この実施の形態の受け部材６Ａは、連結プレート９ａが上記受け部材６Ａの帯状水平部８の上面側に位置する部分と、下面側に位置する部分を有する長さ（高さ）寸法に設定されている。
【００６８】
そして、上記連結プレート９ａには、帯状水平部８の上面側に位置する部分と、下面側に位置する部分のそれぞれに第２の取付け孔１１が形成され、これら一対の取付け孔１１に挿通される２本の第２のねじ１５によって上記受け部材６Ａに対してヘッドボード３及びフットボード４が連結固定される。
【００６９】
なお、上記連結プレート９ａは上記受け部材６Ａの帯状垂直部７或いは帯状水平部８の一方の端部を折り曲げて一体化したり、上記受け部材６Ａとは別体の部材を帯状垂直部７と帯状水平部８の端面に接合するなどして設けられる。
【００７０】
したがって、このような構成の連結プレート９ａによれば、第１の実施の形態のように、１本の第２のねじ１５によって各ボード３，４を連結する場合に比べ、その連結を強固に、しかも各ボード３，４が連結プレート９ａに対して回転方向に動くことなく連結することができるから、第１の実施の形態に示された回り止めのピン１７が不要となる。
【００７１】
図１３はこの発明の第５の実施の形態で、この第５の実施の形態は受け部材６Ｂ及びサイドフレーム２Ａの変形例を示す。この実施の形態の受け部材６Ｂは、帯状垂直部７の上端部に、この帯状垂直部７の外面側に向かって係合支持部３５が直角に折り曲げ形成されている。
【００７２】
一方、上記サイドフレーム２Ａの内面には、上記帯状垂直部７が嵌合する第１の取付け溝１２の上下方向上端に、上記係合支持部３５が嵌合、つまり入り込んで係合する第２の取付け溝３６が形成されている。
【００７３】
上記構成の受け部材６Ｂによれば、帯状垂直部７の上端に外面側に向かって係合支持部３５が直角に折り曲げ形成されている。そのため、上記係合支持部３５によって上記受け部材６Ｂの帯状垂直部７がさらに補強されることになるから、受け部材６Ｂが取付けられた上記サイドフレーム２Ａも補強強度も向上することになる。
【００７４】
しかも、上記受け部材６Ｂの帯状垂直部７は第１の取付け溝１２に嵌合し、上記係合支持部３５は上記第２の取付け溝３６に嵌合する。したがって、帯状垂直部７に係合支持部３５を設けても、上記受け部材６Ｂが上記サイドフレーム２Ａの内面側に対して突出する寸法が大きくなることがない。
【符号の説明】
【００７５】
１，１Ａ…ベッド本体、２，２Ａ…サイドフレーム、３…ヘッドボード、４…フットボード、６，６Ａ，６Ｂ…受け部材、７…帯状垂直部、８…帯状水平部、９…連結プレート、１９…脚部材、２１…取付け部材、２４，２４ａ…床板、２５…マットレス、３１…載置体、３２…箱状体、３３…引き出し、３５…係合支持部。
【図１】
2014057662.tif 000003
【図２】
2014057662.tif 000004
【図３】
2014057662.tif 000005
【図４】
2014057662.tif 000006
【図５】
2014057662.tif 000007
【図６】
2014057662.tif 000008
【図７】
2014057662.tif 000009
【図８】
2014057662.tif 000010
【図９】
2014057662.tif 000011
【図１０】
2014057662.tif 000012
【図１１】
2014057662.tif 000013
【図１２】
2014057662.tif 000014
【図１３】
2014057662.tif 000015